(57)【特許請求の範囲】
【請求項１】
移動端末ごとに、該移動端末が参照信号を送信する際に用いる周波数と帯域幅とを示す無線リソースの割当情報を記憶しているスケジューリングテーブルと、
前記移動端末に対する無線リソースの割当ごとに、移動端末に割当てられている無線リソースの帯域幅を狭くできるか否かを判定する分割対象判定部と、
前記分割対象判定部の判定結果に基づいて、前記移動端末に割当てられている無線リソースの帯域幅を狭くする無線リソース分割部と、
前記無線リソース分割部により空けられた無線リソースを他の移動端末に割当てる無線リソース割当部と
を備えることを特徴とする基地局装置。
【請求項２】
前記移動端末の移動速度に基づいて無線リソースの帯域幅の最小値を判定する帯域幅最小値判定部を更に備え、
前記分割対象判定部は、前記帯域幅最小値判定部が判定した帯域幅の最小値より広い帯域幅を有する無線リソースに対して帯域幅を狭くできると判定し、
前記無線リソース分割部は、前記移動端末に割当てられている無線リソースの帯域幅を、前記最小値を下限として狭くする
ことを特徴とする請求項１に記載の基地局装置。
【請求項３】
前記分割対象判定部は、前記帯域幅を狭くする無線リソースが複数ある場合、該無線リソースのうち、割当てられている前記移動端末が最も少ない無線リソースを選択する
ことを特徴とする請求項１また請求項２のいずれかに記載の基地局装置。
【請求項４】
前記分割対象判定部は、前記帯域幅を狭くできる無線リソースが複数ある場合、該無線リソースのうち、帯域幅が最小又は最大の無線リソースを選択する
ことを特徴とする請求項１また請求項２のいずれかに記載の基地局装置。
【請求項５】
前記無線リソース割当部は、前記参照信号を送信する無線リソースに前記空けられた無線リソースを割当てる
ことを特徴とする請求項１から請求項４のいずれか一項に記載の基地局装置。
【請求項６】
移動端末ごとに、該移動端末が参照信号を送信する際に用いる周波数と帯域幅とを示す無線リソースの割当情報を記憶しているスケジューリングテーブルを備えた基地局装置における帯域割当方法であって、
前記移動端末に対する無線リソースの割当ごとに、移動端末に割当てられている無線リソースの帯域幅を狭くできるか否かを判定する分割対象判定ステップと、
前記分割対象判定ステップの判定結果に基づいて、前記移動端末に割当てられている無線リソースの帯域幅を狭くする無線リソース分割ステップと、
前記無線リソース分割ステップにより空けられた無線リソースを他の移動端末に割当てる無線リソース割当ステップと
を有することを特徴とする帯域割当方法。
【請求項７】
基地局装置に備えられているコンピュータに、
移動端末ごとに、該移動端末が参照信号を送信する際に用いる周波数と帯域幅とを示す無線リソースの割当情報を記憶するスケジューリング記憶ステップと、
前記移動端末に対する無線リソースの割当ごとに、移動端末に割当てられている無線リソースの帯域幅を狭くできるか否かを判定する分割対象判定ステップと、
前記分割対象判定ステップの判定結果に基づいて、前記移動端末に割当てられている無線リソースの帯域幅を狭くする無線リソース分割ステップと、
前記無線リソース分割ステップにより空けられた無線リソースを他の移動端末に割当てる無線リソース割当ステップと
を実行させるためのプログラム。
【発明の詳細な説明】
【技術分野】
【０００１】
本発明は、基地局装置、帯域割当方法、及びプログラムに関する。
【背景技術】
【０００２】
近年、第３世代（３Ｇ）セルラシステムの後継システムとして、ＬＴＥ（Long Term Evolution：正式名称は、Evolved Universal Terrestrial Radio Access (E-UTRA)である）や、ＵＭＢ（Ultra Mobile Broadband）といった、次世代のセルラシステム（３．９Ｇセルラシステムとも呼ばれる）や、さらには、３．９Ｇセルラシステムの進化系である、ＩＭＴ−Ａｄｖａｎｃｅｄシステム（４Ｇセルラシステムとも呼ばれる）に関する標準規格の検討が、３ＧＰＰ（3rd Generation Partnership Project）、３ＧＰＰ２（3rd Generation Partnership Project 2）、ＩＥＥＥ８０２．１６等の標準化団体において進められている。
【０００３】
ＬＴＥやＵＭＢ、ＷｉＭＡＸなどのシステムをはじめ、現在、４Ｇセルラシステム向けに検討されている、ＬＴＥ−ＡｄｖａｎｃｅｄやＩＥＥＥ８０２．１６ｍでは、多元接続方式としてＯＦＤＭＡ（Orthogonal Frequency Division Multiple Access；直交波周波数分割多元接続）が使用される。
ＯＦＤＭＡを使用する無線システム（以下、ＯＦＤＭＡシステム）では、帯域内の複数のサブキャリアを移動端末に割当てることができる。また、その割当内容は、サブキャリアによる周波数方向に加えて、時間方向でも変更可能である。したがって、一般的に、ＯＦＤＭＡシステムでは、周波数軸と時間軸といった二次元の無線リソースを用いて、柔軟な無線リソースの割当が可能である。
【０００４】
ところで、周波数選択性フェージング環境下では、移動端末によって通信品質の良い周波数リソースが異なるため、移動端末ごとに通信品質の良い周波数リソースを割当てる、周波数スケジューリングが用いられる。この周波数スケジューリングによって、移動端末のスループットが改善し、しいては、システム全体のスループット向上につながる。
周波数リソースの通信品質の測定は、一般に、周波数リソース内に含まれる参照信号を用いる。よって、上記の周波数スケジューリングを行うためには、ＯＦＤＭＡシステムにおいて用いられる周対数帯域内の全ての周波数リソースごとの通信品質を取得する必要がある。
【０００５】
基地局装置から移動端末への下りリンクでは、基地局装置が移動端末に割当てた周波数リソースを用いて当該移動端末へのデータを送信する。この周波数リソースには参照信号が埋め込まれている。
しかし、参照信号は、全移動端末に既知の信号であるため、当該周波数リソースブロックが割当てられていない他の移動端末も当該周波数リソースブロックに埋め込まれた参照信号を復調することによって、当該周波数リソースブロックの品質を取得できる。
一方、移動端末から基地局装置への上りリンクでは、基地局装置が移動端末に割当てた周波数リソースが全帯域では無い場合、基地局装置は当該移動端末から送信される周波数リソース以外の周波数リソースの品質を得ることはできない。
【０００６】
そこで、非特許文献１では、上りリンクにサウンディング・リファレンス信号（ＳＲＳ：Sounding Reference Signal）と呼ばれる参照信号を規定している。このＳＲＳは、最大でシステム内の全帯域にわたって送信することが可能であるため、上りリンクの周波数特性（つまり、周波数リソースごとの通信品質）を取得することが可能となる。
しかしながら、非特許文献１に記載されているとおり、ＳＲＳを送信する際に使用する無線リソース（以下、ＳＲＳ無線リソースと称する）には限りがあるため、全ての移動端末が常にＳＲＳを送信すると、異なる移動端末間でのＳＲＳ同士の干渉が発生し、ＳＲＳを正しく復調することができず、本来の目的である周波数特性の取得が困難となる。
【０００７】
そこで、非特許文献２では、移動端末が使用するＳＲＳ無線リソースを固定している。具体的には、全ＳＲＳ無線リソースを超えないよう、ＳＲＳ無線リソースのパラメータを設定している。また、性能評価のため、移動端末数を一定と仮定しているため、移動端末ごとに割当てられたＳＲＳ無線リソースは固定（不変）である。
【先行技術文献】
【非特許文献】
【０００８】
【非特許文献１】3GPP TS 36.211, “Evolved Universal Terrestrial Radio Access (E-UTRA); Physical Channels and Modulation.”
【非特許文献２】沖野ら、“Ｅ−ＵＴＲＡアップリンクにおけるチャネル推定誤差を考慮したＳＲＳパラメータ設定の検討、”信学技報ＲＣＳ２００８−２４５、２００９年３月
【非特許文献３】3GPP TS 36.331, “Evolved Universal Terrestrial Radio Access (E-UTRA); Radio Resource Control (RRC) Protocol specification.”
【発明の概要】
【発明が解決しようとする課題】
【０００９】
しかしながら、ＳＲＳ無線リソースが逼迫している状況で、セル内に在圏の移動端末数が増加した場合、新規にセル内に在圏となる移動端末に対してＳＲＳ無線リソースを割当てることができない可能性がある。ＳＲＳ無線リソースが割当てられないと、当該移動端末の周波数特性が全くわからず、ＯＦＤＭＡシステムの特徴である周波数スケジューリングが実行できず、スループット低下を招く可能性が高まる。
すなわち、ＳＲＳ無線リソースが逼迫している状態において、新たに基地局装置に接続する移動端末に対してＳＲＳ無線リソースを適切に割当てることができない場合、当該移動端末に対して十分な通信を提供できないことがある。
【００１０】
本発明は、このような事情を考慮されたもので、その目的は、参照信号を送信する無線リソースが逼迫している状態においても、新たに接続する移動端末に対して参照信号を送信する無線リソースを適切に割当てることができる基地局装置、帯域割当方法、及びプログラムを提供することにある。
【課題を解決するための手段】
【００１１】
上記問題を解決するために、本発明は、移動端末ごとに、該移動端末が参照信号を送信する際に用いる周波数と帯域幅とを示す無線リソースの割当情報を記憶しているスケジューリングテーブルと、前記移動端末に対する無線リソースの割当ごとに、移動端末に割当てられている無線リソースの帯域幅を狭くできるか否かを判定する分割対象判定部と、前記分割対象判定部の判定結果に基づいて、前記移動端末に割当てられている無線リソースの帯域幅を狭くする無線リソース分割部と、前記無線リソース分割部により空けられた無線リソースを他の移動端末に割当てる無線リソース割当部とを備えることを特徴とする基地局装置である。
【００１２】
また、本発明は、上記に記載の発明において、前記移動端末の移動速度に基づいて無線リソースの帯域幅の最小値を判定する帯域幅最小値判定部を更に備え、前記分割対象判定部は、前記帯域幅最小値判定部が判定した帯域幅の最小値より広い帯域幅を有する無線リソースに対して帯域幅を狭くできると判定し、前記無線リソース分割部は、前記移動端末に割当てられている無線リソースの帯域幅を、前記最小値を下限として狭くすることを特徴とする。
【００１３】
また、本発明は、上記に記載の発明において、前記分割対象判定部は、前記帯域幅を狭くする無線リソースが複数ある場合、該無線リソースのうち、割当てられている前記移動端末が最も少ない無線リソースを選択することを特徴とする。
【００１４】
また、本発明は、上記に記載の発明において、前記分割対象判定部は、前記帯域幅を狭くできる無線リソースが複数ある場合、該無線リソースのうち、帯域幅が最小又は最大の無線リソースを選択することを特徴とする。
【００１５】
また、本発明は、上記に記載の発明において、前記無線リソース割当部は、前記参照信号を送信する無線リソースに前記空けられた無線リソースを割当てることを特徴とする。
【００１６】
また、本発明は、移動端末ごとに、該移動端末が参照信号を送信する際に用いる周波数と帯域幅とを示す無線リソースの割当情報を記憶しているスケジューリングテーブルを備えた基地局装置における帯域割当方法であって、前記移動端末に対する無線リソースの割当ごとに、移動端末に割当てられている無線リソースの帯域幅を狭くできるか否かを判定する分割対象判定ステップと、前記分割対象判定ステップの判定結果に基づいて、前記移動端末に割当てられている無線リソースの帯域幅を狭くする無線リソース分割ステップと、前記無線リソース分割ステップにより空けられた無線リソースを他の移動端末に割当てる無線リソース割当ステップとを有することを特徴とする帯域割当方法である。
【００１７】
また、本発明は、基地局装置に備えられているコンピュータに、移動端末ごとに、該移動端末が参照信号を送信する際に用いる周波数と帯域幅とを示す無線リソースの割当情報を記憶するスケジューリング記憶ステップと、前記移動端末に対する無線リソースの割当ごとに、移動端末に割当てられている無線リソースの帯域幅を狭くできるか否かを判定する分割対象判定ステップと、前記分割対象判定ステップの判定結果に基づいて、前記移動端末に割当てられている無線リソースの帯域幅を狭くする無線リソース分割ステップと、前記無線リソース分割ステップにより空けられた無線リソースを他の移動端末に割当てる無線リソース割当ステップとを実行させるためのプログラムである。
【発明の効果】
【００１８】
この本発明によれば、移動端末に割当てる参照信号を送信する無線リソースが逼迫している状態においても、既に割当てられている無線リソースの帯域幅を狭くして、空きの無線リソースを設けることにより、新たに接続する移動端末に対して参照信号を送信する無線リソースを適切に割当てることができ、新たに接続する移動端末装置が参照信号を送信することができる。
その結果、新たに接続する移動端末の周波数特性を把握した周波数スケジューリングが可能となり、移動端末のスループット向上やシステムの通信容量向上させることができる。
【図面の簡単な説明】
【００１９】
【図１】本発明の一実施形態に係るＯＦＤＭＡシステムの構成を示す概念図である。
【図２】同実施形態に係るＯＦＤＭＡシステムの上りリンクの無線リソースの部分的な構成を示す概念図である。
【図３】同実施形態におけるＳＲＳ送信スケジューリング部２、及びＳＲＳ帯域分割部５の構成を示す概略ブロック図である。
【図４】同実施形態における許容移動速度判定テーブル１００の構成例を示す図である。
【図５】同実施形態におけるＳＲＳ送信スケジューリングテーブル２００の全体構成を示す図である。
【図６】同実施形態におけるＳＲＳ送信スケジューリングテーブル２００に含まれる部分テーブルＴＢＬ（ｉ＿ＳＲＳ，ｋ＿ｃ）の構成を示す図である。
【図７】同実施形態に係るＳＲＳ帯域幅（Ｍ＿ＳＲＳ）と、ＳＲＳ帯域オフセット番号（ｊ＿ＳＲＳ）と対応関係の一例を示す図である。
【図８】同実施形態におけるＳＲＳ送信スケジューリング処理の手順を示す第１のフローチャートである。
【図９】同実施形態におけるＳＲＳ送信スケジューリング処理の手順を示す第２のフローチャートである。
【図１０】同実施形態におけるＳＲＳ送信スケジューリング処理の手順を示す第３のフローチャートである。
【図１１】同実施形態におけるＳＲＳ送信スケジューリング処理の手順を示す第４のフローチャートである。
【発明を実施するための形態】
【００２０】
以下、図面を参照して、本発明の実施形態における基地局装置、帯域割当方法、及びプログラムを説明する。
【００２１】
図１は、本発明の一実施形態に係るＯＦＤＭＡシステムの構成を示す概念図である。図１において、基地局装置１は、ＳＲＳ（Sounding Reference Signal；参照信号）送信スケジューリング部２と、ＳＲＳ無線リソース通知部３と、ＳＲＳ帯域分割部５とを具備している。
ＳＲＳ送信スケジューリング部２は、基地局装置１に収容される移動端末４が上りリンクでＳＲＳを送信するときに使用する無線リソースの割当を行う。ＳＲＳ無線リソース通知部３は、移動端末４に対して、ＳＲＳを送信する際に使用する無線リソース（以下、ＳＲＳ無線リソースと称する）を通知する。ＳＲＳ帯域分割部５は、移動端末４にＳＲＳ無線リソースを新たに割当てる際に空いているＳＲＳ無線リソースがない場合、既に割当てられているＳＲＳ無線リソースを分割して空きＳＲＳ無線リソースを確保する。
【００２２】
図２は、本実施形態に係るＯＦＤＭＡシステムの上りリンクの無線リソースの部分的な構成を示す概念図である。同図において、時間方向は一ＳＲＳ送信分のみを示し、周波数方向はシステム帯域幅分を示す。また、同図に示されるように、時間方向一ＳＲＳ送信分の無線リソースは、一定の周波数帯域幅（サブキャリア数：Ｎ＿ＳＣ個）と一定の時間幅（ＯＦＤＭシンボル数：Ｎ＿ＯＦＤＭ個）を有するリソースブロック（ＲＢ）が、周波数方向にＮ＿ＲＢ個だけ連結されている。Ｎ＿ＲＢ個のＲＢ分の周波数帯域幅はシステム帯域幅に相当する。ＳＲＳ送信対象のＲＢにおいて、ＳＲＳは、図２に示されるようにＲＢ内の時間的に最後のＯＦＤＭシンボルで送信される。
【００２３】
ここで、本実施形態に係るＳＲＳ無線リソースを説明する。ＳＲＳ無線リソースとしては、ＳＲＳ帯域幅、ＳＲＳ送信間隔、ＳＲＳ帯域オフセット、ＳＲＳ送信タイミングオフセット、サイクリック・シフト（Cyclic shift）及びトランスミッション・カム（Transmission comb）がある。
【００２４】
ＳＲＳ帯域幅は、１つのＳＲＳが有する周波数帯域（以下、ＳＲＳ帯域と称する）の幅であり、ＲＢ単位で表す。本実施形態では、システム帯域幅が１０ＭＨｚ（４８ＲＢ分）であるとし、ＳＲＳ帯域幅の候補は４、８、１２、１６、２４及び４８の６種類であるとする。なお、ＳＲＳ帯域幅の選択可能な候補の組合せは、制限することができる。例えば、ＳＲＳ帯域幅の選択可能な候補の組合せ例として、「４、１２、２４、４８」、「４、８、１６、４８」などが挙げられる。ＳＲＳ帯域幅の選択可能な候補の組合せは、オペレータから指定される。
【００２５】
ＳＲＳ送信間隔は、１つの移動端末４がＳＲＳを送信する時間間隔である。本実施形態では、ＳＲＳ送信間隔の単位（つまり、ＯＦＤＭシンボルのＮ＿ＯＦＤＭ個分の時間）は１ミリ秒であるとし、ＳＲＳ送信間隔の候補は２、５、１０、２０、４０、８０、１６０、３２０（単位はミリ秒）の８種類である。但し、本実施形態では、ＳＲＳ送信間隔は１つに固定する。ＳＲＳ送信間隔は、オペレータから指定される、又は、自動設定する。
【００２６】
ＳＲＳ帯域オフセットは、ＳＲＳ送信開始時点のＳＲＳ帯域を指定するものであり、同一ＳＲＳ帯域幅の移動端末４に対してＳＲＳ帯域幅単位で設けられる。ＳＲＳ帯域オフセットによって、同時にＳＲＳを送信する移動端末４ごとに、ＳＲＳ帯域をずらしてＳＲＳ送信させることが可能である。
【００２７】
ＳＲＳ送信タイミングオフセットは、ＳＲＳ送信開始時点のＳＲＳの時間位置を指定するものである。本実施形態では、ＳＲＳ送信タイミングオフセットは、０から「ＳＲＳ送信間隔−１」（単位はミリ秒）までの１ミリ秒単位である。ＳＲＳ送信タイミングオフセットによって、同一ＳＲＳ帯域でＳＲＳ送信する移動端末４ごとに、送信時刻をずらしてＳＲＳ送信させることが可能である。
【００２８】
ＳＲＳは時間軸と周波数軸で一定の振幅を有し、ＳＲＳに対して、サイクリック・シフトさせた符号系列が互いに直交する符号系列、例えば、Ｚａｄｏｆｆ−Ｃｈｕ系列を利用する。本実施形態では、セクタあたり２種類のサイクリック・シフトを利用する。サイクリック・シフトによって、同一時刻且つ同一ＳＲＳ帯域でＳＲＳ送信する移動端末４に対して干渉を防止することができる。但し、ＳＲＳ帯域幅が異なる移動端末４に対しては、サイクリック・シフトでは干渉防止効果が得られないので、後述するトランスミッション・カムを使用することとする。
【００２９】
トランスミッション・カムは、ＳＲＳを送信するサブキャリアの指定である。本実施形態では、１つの移動端末４がＳＲＳ送信するサブキャリアを１つおきとし（つまり、ＳＲＳ送信するのは、偶数番目のサブキャリアのみ、又は、奇数番目のサブキャリアのみとする）、トランスミッション・カムとして、偶数番目のサブキャリアでＳＲＳを送信するものと、奇数番目のサブキャリアでＳＲＳを送信するものとの２種類を利用する。トランスミッション・カムによって、同一時刻且つ同一ＳＲＳ帯域でＳＲＳ送信する移動端末４に対して干渉を防止することができる。但し、トランスミッション・カムは、ＳＲＳ帯域幅の異なる移動端末４同士が同一時刻且つ同一ＳＲＳ帯域でＳＲＳ送信する場合に、優先して利用することとする。
【００３０】
図３は、図１に示すＳＲＳ送信スケジューリング部２、及びＳＲＳ帯域分割部５の構成を示す概略ブロック図である。
同図に示すように、ＳＲＳ送信スケジューリング部２は、入力情報取得部１１、ＳＲＳ帯域幅最小値判定部１２、ＳＲＳ帯域幅最大値判定部１３、使用可能ＳＲＳ帯域幅判定部１４、ＳＲＳ無線リソース割当部１５、許容移動速度判定テーブル１００、及びＳＲＳ送信スケジューリングテーブル２００を備えている。
【００３１】
入力情報取得部１１は、各種の入力情報を取得する。入力情報としては、ＳＲＳ送信スケジューリング処理の開始契機、ＳＲＳ無線リソース割当対象の全ての移動端末４の端末番号、ＳＲＳ無線リソース割当対象の移動端末４に対するＳＲＳ無線リソース割当の優先順位、ＳＲＳ帯域幅の選択可能な候補の組合せ、ＳＲＳ送信間隔、移動端末４の最大送信可能電力、移動端末４の移動速度、などである。
【００３２】
ＳＲＳ帯域幅最小値判定部１２は、移動端末４の移動速度に基づいてＳＲＳ帯域幅の最小値を求める。ＳＲＳ帯域幅最大値判定部１３は、移動端末４の最大送信可能電力に基づいてＳＲＳ帯域幅の最大値を求める。使用可能ＳＲＳ帯域幅判定部１４は、ＳＲＳ帯域幅最小値判定部１２で求めたＳＲＳ帯域幅の最小値と、ＳＲＳ帯域幅最大値判定部１３で求めたＳＲＳ帯域幅の最大値とに基づいて、当該移動端末４のＳＲＳ帯域幅の範囲を定める。ＳＲＳ無線リソース割当部１５は、使用可能ＳＲＳ帯域幅判定部１４で定めたＳＲＳ帯域幅の範囲に基づいて、当該移動端末４のＳＲＳ帯域幅を決定し、ＳＲＳ無線リソースの割当を行う。
【００３３】
許容移動速度判定テーブル１００は、ＳＲＳ送信間隔とＳＲＳ帯域幅の組に対する許容移動速度を判定するためのデータを格納する。
図４は、本実施形態における許容移動速度判定テーブル１００の構成例を示す図である。同図において、許容移動速度判定テーブル１００は、ＳＲＳ送信間隔（Ｔ＿ＳＲＳ、単位はミリ秒）とＳＲＳ帯域幅（Ｍ＿ＳＲＳ、単位はＲＢ）の組ごとに、許容移動速度を有する。許容移動速度判定テーブル１００によって、ＳＲＳ送信間隔とＳＲＳ帯域幅の組を適用可能な移動端末４の最大移動速度を判定することができる。例えば、「Ｔ＿ＳＲＳ＝２、Ｍ＿ＳＲＳ＝４」の組は、移動速度「ｖ＿２４」までの移動端末４に適用可能となる。
【００３４】
本実施形態では、ＳＲＳ送信間隔が固定であるので、許容移動速度判定テーブル１００を使用すれば、ある移動速度の移動端末４に対して適用可能なＳＲＳ帯域幅の最小値を判定することができる。ＳＲＳ帯域幅最小値判定部１２は、許容移動速度判定テーブル１００を使用し、ある移動速度の移動端末４に対して適用可能なＳＲＳ帯域幅の最小値を判定する。
【００３５】
ここで、許容移動速度判定テーブル１００の作成方法を説明する。
ＳＲＳ送信はシステム帯域幅の全帯域の周波数特性を取得することを目的としているので、システム帯域幅の全帯域の周波数特性を取得するのに要する時間（全帯域特性取得所要時間）には、移動端末４の移動速度に応じた制約が発生する。つまり、移動速度が速くなると、その分、移動端末４の無線環境の変化が激しくなるので、その変化に追従できるように、全帯域特性取得所要時間を短くする必要が生じる。このことから、全帯域特性取得所要時間は、コヒーレンス時間以内であることとする。コヒーレンス時間は、移動端末４の移動速度から決まるドップラー周期よりも十分に小さい値とする。
【００３６】
また、ＳＲＳ帯域幅ごとに、システム帯域幅の全帯域の周波数特性を取得するために要するＳＲＳ送信回数が決まる。例えば、ＳＲＳ帯域幅「Ｍ＿ＳＲＳ＝４」の場合、システム帯域幅（４８ＲＢ分）の全帯域の周波数特性を取得するためには、「４８／４＝１２」回のＳＲＳ送信が必要である。そして、そのＳＲＳ送信回数をこなすために必要な時間は、ＳＲＳ送信間隔ごとに決まる。
例えば、ＳＲＳ送信間隔「Ｔ＿ＳＲＳ＝２」の場合においてＳＲＳ帯域幅「Ｍ＿ＳＲＳ＝４」であるときは、初回送信から最終送信までに「２×１２−１＝２３（ミリ秒）」かかる。これにより、ＳＲＳ送信間隔とＳＲＳ帯域幅の組ごとに、システム帯域幅の全帯域の周波数特性を取得するために要する時間（全帯域特性取得所要時間）が決まる。
【００３７】
上述した、移動速度による全帯域特性取得所要時間の制約と、ＳＲＳ送信間隔とＳＲＳ帯域幅の組による全帯域特性取得所要時間の制約との関係から、ＳＲＳ送信間隔とＳＲＳ帯域幅の組に対する許容移動速度が決まる。
【００３８】
なお、一般的に、ＳＲＳ無線リソースの割当時点から実際のＳＲＳ送信時点までには、時間のずれがある。このため、この時間のずれを加味して、全帯域特性取得所要時間の制約を定めることが望ましい。
【００３９】
以上が許容移動速度判定テーブル１００の作成方法の説明である。
なお、本実施形態では、許容移動速度判定テーブル１００を事前に作成し、ＳＲＳ送信スケジューリング部２に備えるようにしたが、移動端末４の移動速度から適宜、コヒーレンス時間を求め、所定のＳＲＳ送信間隔において、全帯域特性取得所要時間が該コヒーレンス時間内となるＳＲＳ帯域幅の最小値を求めるようにしてもよい。
【００４０】
説明を図３に戻す。
ＳＲＳ送信スケジューリングテーブル２００は、ＳＲＳ無線リソースの割当結果を格納する。図５、図６は、ＳＲＳ送信スケジューリングテーブル２００の構成例を示す図である。図５は、ＳＲＳ送信スケジューリングテーブル２００の全体構成を示す図である。図６は、ＳＲＳ送信スケジューリングテーブル２００に含まれる部分テーブルＴＢＬ（ｉ＿ＳＲＳ，ｋ＿ｃ）の構成を示す図である。
【００４１】
図５において、ＳＲＳ送信スケジューリングテーブル２００は、ＳＲＳ送信タイミングオフセット番号（ｉ＿ＳＲＳ）とトランスミッション・カム番号（ｋ＿ｃ）の組ごとに、部分テーブルＴＢＬ（ｉ＿ＳＲＳ，ｋ＿ｃ）と、ＳＲＳ帯域幅設定情報Ｗ＿ＳＲＳ（ｉ＿ＳＲＳ，ｋ＿ｃ）とを格納する。
【００４２】
ＳＲＳ送信タイミングオフセット番号（ｉ＿ＳＲＳ）は、ＳＲＳ送信タイミングオフセットを識別する番号であり、本実施形態では、ＳＲＳ送信タイミングオフセット（０から「ＳＲＳ送信間隔（Ｔ＿ＳＲＳ）−１」（単位はミリ秒）までの１ミリ秒単位）の各々に対応した、０から「Ｔ＿ＳＲＳ−１」までの１刻みの番号である。
【００４３】
トランスミッション・カム番号（ｋ＿ｃ）は、トランスミッション・カムの種類を識別する番号であり、本実施形態では、偶数番目のサブキャリアでＳＲＳを送信するものを表す番号「ｋ＿ｃ＝０」と、奇数番目のサブキャリアでＳＲＳを送信するものを表す番号「ｋ＿ｃ＝１」とがある。
【００４４】
ＳＲＳ帯域幅設定情報Ｗ＿ＳＲＳ（ｉ＿ＳＲＳ，ｋ＿ｃ）は、当該ＳＲＳ送信タイミングオフセット番号（ｉ＿ＳＲＳ）と当該トランスミッション・カム番号（ｋ＿ｃ）の組（ｉ＿ＳＲＳ，ｋ＿ｃ）に対して設定されたＳＲＳ帯域幅を示す情報である。従って、当該組（ｉ＿ＳＲＳ，ｋ＿ｃ）の部分テーブルＴＢＬ（ｉ＿ＳＲＳ，ｋ＿ｃ）は、当該組（ｉ＿ＳＲＳ，ｋ＿ｃ）のＳＲＳ帯域幅設定情報Ｗ＿ＳＲＳ（ｉ＿ＳＲＳ，ｋ＿ｃ）で示されるＳＲＳ帯域幅用のものである。
【００４５】
図６において、部分テーブルＴＢＬ（ｉ＿ＳＲＳ，ｋ＿ｃ）は、ＳＲＳ帯域オフセット番号（ｊ＿ＳＲＳ）とサイクリック・シフト番号（ｋ＿ｓ）の組ごとに、割当端末番号２１０を格納する。
【００４６】
ＳＲＳ帯域オフセット番号（ｊ＿ＳＲＳ）は、ＳＲＳ帯域オフセットを識別する番号であり、本実施形態では、同一ＳＲＳ帯域幅ごとにＳＲＳ帯域幅単位で設けられるＳＲＳ帯域オフセットに各々に対応した番号である。
図７は、本実施形態に係るＳＲＳ帯域幅（Ｍ＿ＳＲＳ）と、ＳＲＳ帯域オフセット番号（ｊ＿ＳＲＳ）と対応関係の一例を示す図である。ＳＲＳ帯域幅「Ｍ＿ＳＲＳ＝４」では、４ＲＢごとのＳＲＳ帯域オフセットの各々に対応した、０から１１までの１刻みの番号である。ＳＲＳ帯域幅「Ｍ＿ＳＲＳ＝８」では、８ＲＢごとのＳＲＳ帯域オフセットの各々に対応した、０から５までの１刻みの番号である。ＳＲＳ帯域幅「Ｍ＿ＳＲＳ＝１２」では、１２ＲＢごとのＳＲＳ帯域オフセットの各々に対応した、０から３までの１刻みの番号である。ＳＲＳ帯域幅「Ｍ＿ＳＲＳ＝１６」では、１６ＲＢごとのＳＲＳ帯域オフセットの各々に対応した、０から２までの１刻みの番号である。ＳＲＳ帯域幅「Ｍ＿ＳＲＳ＝２４」では、２４ＲＢごとのＳＲＳ帯域オフセットの各々に対応した番号「０，１」である。ＳＲＳ帯域幅「Ｍ＿ＳＲＳ＝４８」では、ＳＲＳ帯域オフセットは１つであり、その番号「０」のみである。
【００４７】
説明を図６に戻す。
サイクリック・シフト番号（ｋ＿ｓ）は、サイクリック・シフトの種類を識別する番号であり、本実施形態では、２種類のサイクリック・シフトの各々に対応した番号「０，１」がある。
【００４８】
割当端末番号２１０は、当該ＳＲＳ無線リソースの組（ＳＲＳ帯域幅、ＳＲＳ送信タイミングオフセット、ＳＲＳ帯域オフセット、サイクリック・シフト、トランスミッション・カム）を割当てる移動端末４の端末番号である。
【００４９】
説明を図３に戻す。
ＳＲＳ無線リソース割当部１５は、ＳＲＳ無線リソースの割当結果をＳＲＳ送信スケジューリングテーブル２００に格納する。ＳＲＳ無線リソース割当部１５は、ＳＲＳ送信スケジューリングテーブル２００に格納されたＳＲＳ無線リソースの割当結果を、ＳＲＳ無線リソース割当データとして、ＳＲＳ無線リソース通知部３へ出力する。ＳＲＳ無線リソース割当データは、ＳＲＳ送信間隔（全移動端末４に共通である）と、移動端末４ごとに割当てたＳＲＳ無線リソースの組（ＳＲＳ帯域幅、ＳＲＳ送信タイミングオフセット、ＳＲＳ帯域オフセット、サイクリック・シフト、トランスミッション・カム）との情報を有する。ＳＲＳ無線リソースの組（ＳＲＳ帯域幅、ＳＲＳ送信タイミングオフセット、ＳＲＳ帯域オフセット、サイクリック・シフト、トランスミッション・カム）は、「Ｍ＿ＳＲＳ、ｉ＿ＳＲＳ、ｊ＿ＳＲＳ、ｋ＿ｓ、ｋ＿ｃ」で特定される。
【００５０】
ＳＲＳ帯域分割部５は、分割対象ＳＲＳ無線リソース判定部５１と、ＳＲＳ無線リソース分割部５２とを備えている。
分割対象ＳＲＳ無線リソース判定部５１は、選択端末に係る使用可能なＳＲＳ帯域幅（Ｍ＿ＳＲＳ）のいずれに対しても、部分テーブルＴＢＬ（ｉ＿ＳＲＳ，ｋ＿ｃ）を割当てられなかったことをＳＲＳ無線リソース割当部１５より通知されると、ＳＲＳ送信スケジューリングテーブル２００に記憶されているＳＲＳ無線リソースの割当結果のうち、ＳＲＳ帯域幅（Ｍ＿ＳＲＳ）を分割できるＳＲＳ無線リソースの割当結果があるか否かを判定する。そして、分割対象ＳＲＳ無線リソース判定部５１は、ＳＲＳ帯域幅（Ｍ＿ＳＲＳ）を分割できるＳＲＳ無線リソースの割当結果がある場合、当該ＳＲＳ無線リソースの割当結果をＳＲＳ無線リソース分割部５２に通知する。
ＳＲＳ無線リソース分割部５２は、分割対象ＳＲＳ無線リソース判定部５１により通知されたＳＲＳ無線リソースの割当結果のＳＲＳ帯域幅を分割する。
【００５１】
次に、図８、図９、図１０、図１１を参照して、ＳＲＳ送信スケジューリング部２の動作を説明する。図８、図９、図１０、図１１は、ＳＲＳ送信スケジューリング処理の手順を示すフローチャートである。なお、図１０は、図９におけるステップＳ１００及びステップＳ１５０の手順を詳しく示すフローチャートである。
ＳＲＳ送信スケジューリング部２は、所定の契機でＳＲＳ送信スケジューリング処理を開始する。ＳＲＳ送信スケジューリング処理を開始する契機は、ＳＲＳ無線リソース割当の実行周期になった時点、及び、自装置が新規の移動端末４を収容した時点である。
【００５２】
ＳＲＳ送信スケジューリング処理が開始されると、まず図８において、ステップＳ１では、入力情報取得部１１が入力情報を取得する。次いで、ステップＳ２では、入力情報取得部１１が、ＳＲＳ送信スケジューリング処理の開始契機がＳＲＳ無線リソース割当の実行周期であるかを判断する。この結果、ＳＲＳ送信スケジューリング処理の開始契機がＳＲＳ無線リソース割当の実行周期である場合には、入力情報取得部１１が、ＳＲＳ無線リソース割当部１５に対して、ＳＲＳ送信スケジューリングテーブル２００のリセットを指示する。
これにより、ＳＲＳ無線リソース割当部１５は、ＳＲＳ送信スケジューリングテーブル２００の内容を全てリセットする。この後、ステップＳ４に進む。一方、ＳＲＳ送信スケジューリング処理の開始契機がＳＲＳ無線リソース割当の実行周期ではない（つまり、新規の移動端末４の収容である）場合には、ＳＲＳ送信スケジューリングテーブル２００のリセットを行わず、そのままステップＳ４に進む。
【００５３】
次いで、ステップＳ４では、入力情報取得部１１が、ＳＲＳ無線リソース割当対象の移動端末４（以下、割当対象端末と称する）があるかを判断する。この結果、割当対象端末がある場合にはステップＳ６に進む。一方、割当対象端末がない場合には、入力情報取得部１１が、ＳＲＳ無線リソース割当部１５に対して、ＳＲＳ無線リソース割当データの出力を指示する。これにより、ステップＳ５において、ＳＲＳ無線リソース割当部１５が、ＳＲＳ送信スケジューリングテーブル２００の内容に従ってＳＲＳ無線リソース割当データを作成し、ＳＲＳ無線リソース割当データをＳＲＳ無線リソース通知部３へ出力する。
【００５４】
ステップＳ６では、入力情報取得部１１が、割当対象端末群の中から、割当対象端末に対するＳＲＳ無線リソース割当の優先順位（ＳＲＳ無線リソース割当優先順位）に従って割当対象端末を１つ選択する。この選択結果の割当対象端末のことを以下、選択端末と称する。
【００５５】
次いで、ステップＳ７では、入力情報取得部１１が、ＳＲＳ帯域幅最大値判定部１３に対して、選択端末の最大送信可能電力を通知し、選択端末に係るＳＲＳ帯域幅（Ｍ＿ＳＲＳ）の最大値を求めるように指示する。これにより、ＳＲＳ帯域幅最大値判定部１３は、その通知された最大送信可能電力に基づいて、選択端末に係るＳＲＳ帯域幅（Ｍ＿ＳＲＳ）の最大値を求める。移動端末４の送信電力には制限があるので、その最大送信可能電力に基づいて、当該移動端末４に係るＳＲＳ帯域幅（Ｍ＿ＳＲＳ）の最大値を判定することができる。ＳＲＳ帯域幅最大値判定部１３は、選択端末に係るＳＲＳ帯域幅（Ｍ＿ＳＲＳ）の最大値を使用可能ＳＲＳ帯域幅判定部１４へ通知する。
【００５６】
次いで、ステップＳ８では、入力情報取得部１１が、ＳＲＳ帯域幅最小値判定部１２に対して、ＳＲＳ送信間隔（Ｔ＿ＳＲＳ）及び選択端末の移動速度を通知し、選択端末に係るＳＲＳ帯域幅（Ｍ＿ＳＲＳ）の最小値を求めるように指示する。これにより、ＳＲＳ帯域幅最小値判定部１２は、その通知されたＳＲＳ送信間隔（Ｔ＿ＳＲＳ）及び移動速度に基づいて、選択端末に係るＳＲＳ帯域幅（Ｍ＿ＳＲＳ）の最小値を求める。このとき、ＳＲＳ帯域幅最小値判定部１２は、許容移動速度判定テーブル１００を使用し、該ＳＲＳ送信間隔（Ｔ＿ＳＲＳ）において、該移動速度が許容されるＳＲＳ帯域幅（Ｍ＿ＳＲＳ）の最小値を判定する。ＳＲＳ帯域幅最小値判定部１２は、選択端末に係るＳＲＳ帯域幅（Ｍ＿ＳＲＳ）の最小値を使用可能ＳＲＳ帯域幅判定部１４へ通知する。
【００５７】
次いで、ステップＳ９では、入力情報取得部１１が、使用可能ＳＲＳ帯域幅判定部１４に対して、ＳＲＳ帯域幅（Ｍ＿ＳＲＳ）の選択可能な候補の組合せを通知し、選択端末の使用可能なＳＲＳ帯域幅（Ｍ＿ＳＲＳ）の範囲を設定するように指示する。これにより、使用可能ＳＲＳ帯域幅判定部１４は、その通知されたＳＲＳ帯域幅（Ｍ＿ＳＲＳ）の選択可能な候補の組合せにおいて、選択端末に係るＳＲＳ帯域幅（Ｍ＿ＳＲＳ）の最小値及び最大値からＳＲＳ帯域幅（Ｍ＿ＳＲＳ）の範囲を判定する。ＳＲＳ帯域幅（Ｍ＿ＳＲＳ）の範囲を定めるための条件は、次式「ＳＲＳ帯域幅（Ｍ＿ＳＲＳ）の最小値≦最大値」が成立し、且つ、ＳＲＳ帯域幅（Ｍ＿ＳＲＳ）の最小値から最大値までの範囲にＳＲＳ帯域幅（Ｍ＿ＳＲＳ）の選択可能な候補が存在すること、である。
【００５８】
次いで、ステップＳ１０では、使用可能ＳＲＳ帯域幅判定部１４が、選択端末の使用可能なＳＲＳ帯域幅（Ｍ＿ＳＲＳ）の範囲を設定することができるかを判断する。この結果、使用可能なＳＲＳ帯域幅（Ｍ＿ＳＲＳ）の範囲を設定することができる場合には、使用可能ＳＲＳ帯域幅判定部１４は、ＳＲＳ帯域幅（Ｍ＿ＳＲＳ）の最小値から最大値までの範囲に存在する、ＳＲＳ帯域幅（Ｍ＿ＳＲＳ）の選択可能な候補の全てを、ＳＲＳ無線リソース割当部１５へ通知する。この通知されたＳＲＳ帯域幅（Ｍ＿ＳＲＳ）の選択可能な候補は、選択端末に係る使用可能なＳＲＳ帯域幅（Ｍ＿ＳＲＳ）である。また、使用可能ＳＲＳ帯域幅判定部１４は、入力情報取得部１１に対して、選択端末の使用可能なＳＲＳ帯域幅（Ｍ＿ＳＲＳ）の範囲を設定可能の旨を通知する。これにより、入力情報取得部１１は、ＳＲＳ無線リソース割当部１５に対して、選択端末の端末番号を通知し、選択端末に対するＳＲＳ無線リソースの割当を指示する。この後、図９のステップＳ１２へ進む。
【００５９】
一方、使用可能なＳＲＳ帯域幅（Ｍ＿ＳＲＳ）の範囲を設定することができない場合には、使用可能ＳＲＳ帯域幅判定部１４は、その旨を入力情報取得部１１へ通知する。これにより、ステップＳ１１において、入力情報取得部１１は、選択端末をＳＲＳ無線リソース割当対象から除外する。この後、ステップＳ４に戻る。
【００６０】
図９のステップＳ１２では、ＳＲＳ無線リソース割当部１５が、選択端末に係る使用可能なＳＲＳ帯域幅（Ｍ＿ＳＲＳ）を、小さい方から大きい方へと昇順で、交替しながら１つずつ選択する。この選択結果の使用可能なＳＲＳ帯域幅（Ｍ＿ＳＲＳ）のことを以下、選択Ｍ＿ＳＲＳと称する。なお、使用可能なＳＲＳ帯域幅（Ｍ＿ＳＲＳ）を昇順で選択する理由は、できる限り小さいＳＲＳ帯域幅を採用することで、ＳＲＳ送信する移動端末４の数を増やすことができる可能性があるためである。
【００６１】
次いで、ステップＳ１３では、ＳＲＳ無線リソース割当部１５が、ＳＲＳ送信スケジューリングテーブル２００において、選択Ｍ＿ＳＲＳ用部分テーブルＴＢＬ（ｉ＿ＳＲＳ，ｋ＿ｃ）が有るかを探索する。具体的には、ＳＲＳ無線リソース割当部１５は、ＳＲＳ送信スケジューリングテーブル２００において、選択Ｍ＿ＳＲＳが設定されたＳＲＳ帯域幅設定情報Ｗ＿ＳＲＳ（ｉ＿ＳＲＳ，ｋ＿ｃ）を有する、ＳＲＳ送信タイミングオフセット番号（ｉ＿ＳＲＳ）とトランスミッション・カム番号（ｋ＿ｃ）の組（ｉ＿ＳＲＳ，ｋ＿ｃ）が存在するかを調べる。選択Ｍ＿ＳＲＳが設定されたＳＲＳ帯域幅設定情報Ｗ＿ＳＲＳ（ｉ＿ＳＲＳ，ｋ＿ｃ）を有する、ＳＲＳ送信タイミングオフセット番号（ｉ＿ＳＲＳ）とトランスミッション・カム番号（ｋ＿ｃ）の組（ｉ＿ＳＲＳ，ｋ＿ｃ）に係る部分テーブルＴＢＬ（ｉ＿ＳＲＳ，ｋ＿ｃ）は、選択Ｍ＿ＳＲＳ用部分テーブルＴＢＬ（ｉ＿ＳＲＳ，ｋ＿ｃ）である。
【００６２】
次いで、ステップＳ１４では、ＳＲＳ無線リソース割当部１５が、選択Ｍ＿ＳＲＳ用部分テーブルＴＢＬ（ｉ＿ＳＲＳ，ｋ＿ｃ）が有るかを判断する。この結果、選択Ｍ＿ＳＲＳ用部分テーブルＴＢＬ（ｉ＿ＳＲＳ，ｋ＿ｃ）が有る場合にはステップＳ１５に進む。一方、選択Ｍ＿ＳＲＳ用部分テーブルＴＢＬ（ｉ＿ＳＲＳ，ｋ＿ｃ）が無い場合にはステップＳ１７に進む。
【００６３】
ステップＳ１５では、ＳＲＳ無線リソース割当部１５が、選択Ｍ＿ＳＲＳ用部分テーブルＴＢＬ（ｉ＿ＳＲＳ，ｋ＿ｃ）において、ＳＲＳ無線リソースの組合せ（ｊ＿ＳＲＳ，ｋ＿ｓ）の空きを探索する。次いで、ステップＳ１６では、選択Ｍ＿ＳＲＳ用部分テーブルＴＢＬ（ｉ＿ＳＲＳ，ｋ＿ｃ）において、ＳＲＳ無線リソースの組合せ（ｊ＿ＳＲＳ，ｋ＿ｓ）の空きが有るかを判断する。この結果、全ての選択Ｍ＿ＳＲＳ用部分テーブルＴＢＬ（ｉ＿ＳＲＳ，ｋ＿ｃ）において、ＳＲＳ無線リソースの組合せ（ｊ＿ＳＲＳ，ｋ＿ｓ）の空きが無い場合にはステップＳ１７に進む。一方、少なくとも１つの選択Ｍ＿ＳＲＳ用部分テーブルＴＢＬ（ｉ＿ＳＲＳ，ｋ＿ｃ）において、ＳＲＳ無線リソースの組合せ（ｊ＿ＳＲＳ，ｋ＿ｓ）の空きが有る場合にはステップＳ１８に進む。
【００６４】
ステップＳ１７では、ＳＲＳ無線リソース割当部１５が、選択端末に係る使用可能なＳＲＳ帯域幅（Ｍ＿ＳＲＳ）を全て選択したかを判断する。この結果、選択端末に係る使用可能なＳＲＳ帯域幅（Ｍ＿ＳＲＳ）を全て選択した場合には、ステップＳ１００に進む。
一方、選択端末に係る使用可能なＳＲＳ帯域幅（Ｍ＿ＳＲＳ）の中に未選択のものが残っている場合にはステップＳ１２に戻る。
【００６５】
ステップＳ１８では、ＳＲＳ無線リソース割当部１５が、ＳＲＳ無線リソースの組合せ（ｊ＿ＳＲＳ，ｋ＿ｓ）の空き残数が最小である選択Ｍ＿ＳＲＳ用部分テーブルＴＢＬ（ｉ＿ＳＲＳ，ｋ＿ｃ）において、ＳＲＳ無線リソース（ｋ＿ｓ）の空き残数が最小、且つ、ＳＲＳ帯域オフセット番号（ｊ＿ＳＲＳ）が最小である、ＳＲＳ無線リソースの組合せ（ｊ＿ＳＲＳ，ｋ＿ｓ）を選択する。これにより、できる限り未使用のサイクリック・シフトを残すようにする。未使用のサイクリック・シフトは、ＳＲＳ以外のデータの送信に使用することができる可能性があり、無線リソースの有効利用に寄与することが可能となる。
【００６６】
次いで、ステップＳ１９では、ＳＲＳ無線リソース割当部１５が、ステップＳ１８で選択した選択Ｍ＿ＳＲＳ用部分テーブルＴＢＬ（ｉ＿ＳＲＳ，ｋ＿ｃ）内のＳＲＳ無線リソースの組合せ（ｊ＿ＳＲＳ，ｋ＿ｓ）の欄に、選択端末の端末番号を割当端末番号２１０として格納する。これにより、選択端末に対して、該選択Ｍ＿ＳＲＳ用部分テーブルＴＢＬ（ｉ＿ＳＲＳ，ｋ＿ｃ）内のＳＲＳ無線リソースの組合せ（ｊ＿ＳＲＳ，ｋ＿ｓ）に対応するＳＲＳ無線リソースの組合せ（選択Ｍ＿ＳＲＳ、ｉ＿ＳＲＳ、ｊ＿ＳＲＳ、ｋ＿ｓ、ｋ＿ｃ）が割当てられたことになる。この後、図８のステップＳ４に戻る。
【００６７】
ここで、ステップＳ１００に進む場合とは、選択端末に係る使用可能なＳＲＳ帯域幅（Ｍ＿ＳＲＳ）のいずれに対しても、部分テーブルＴＢＬ（ｉ＿ＳＲＳ，ｋ＿ｃ）が割当てられていない状態である。すなわち、選択端末に対してＳＲＳ無線リソースを示す部分テーブルＴＢＬ（ｉ＿ＳＲＳ，ｋ＿ｃ）を割当てることができない状態である。
この場合、分割対象ＳＲＳ無線リソース判定部５１が、既に割当てられているＳＲＳ無線リソースのうち、ＳＲＳ帯域幅（Ｍ＿ＳＲＳ）を分割することができるＳＲＳ無線リソースがあるか否かを判定し、ＳＲＳ無線リソース分割部５２が、分割可能なＳＲＳ無線リソースのＳＲＳ帯域幅を分割して、選択端末に割当てるＳＲＳ無線リソースを空けるようにする。なお、ステップＳ１００はステップＳ１０１からステップＳ１０８までの手順を含み、ステップＳ１５０はステップＳ１５１からステップＳ１５４までの手順を含む。
【００６８】
図１０に記載のステップＳ１０１において、分割対象ＳＲＳ無線リソース判定部５１は、ＳＲＳ無線リソース割当部１５から選択端末に係る使用可能なＳＲＳ帯域幅（Ｍ＿ＳＲＳ）を全て選択したしたことを通知されると、ＳＲＳ送信スケジューリングテーブル２００に記憶されているＳＲＳ無線リソースの割当結果ごとに、次の条件を満たすＳＲＳ無線リソースの割当結果があるか否かを判定する。この条件は、同じＳＲＳ無線リソースを使用してＳＲＳを送信する全ての移動端末４に対してＳＲＳ帯域幅最小値判定部１２が判定した当該移動端末４のＳＲＳ帯域幅の最小値より、ＳＲＳ帯域幅（Ｍ＿ＳＲＳ）が広いことである。また、同じＳＲＳ無線リソースとは、サイクリック・シフトｋ＿ｓによらず、同一のＳＲＳ無線リソースの組合せ（Ｍ＿ＳＲＳ，ｉ＿ＳＲＳ，ｊ＿ＳＲＳ，ｋ＿ｃ）により示される無線リソースのことである。
以下、ＳＲＳ帯域幅最小値判定部１２が判定した移動端末４（ｕ）のＳＲＳ帯域幅の最小値を、所要ＳＲＳ帯域幅Ｒｅｑ＿Ｍｓｒｓ＿ＤＬ（ｕ）と称する。
【００６９】
割当てられているＳＲＳ帯域幅（Ｍ＿ＳＲＳ）が、全ての移動端末４（ｕ）の所要ＳＲＳ帯域幅Ｒｅｑ＿Ｍｓｒｓ＿ＤＬ（ｕ）より広い場合、ステップＳ１０２に進む。
一方、割当てられているＳＲＳ帯域幅（Ｍ＿ＳＲＳ）が、全ての移動端末４（ｕ）の所要ＳＲＳ帯域幅Ｒｅｑ＿Ｍｓｒｓ＿ＤＬ（ｕ）より広くない場合、ステップＳ１０４に進む。
【００７０】
ステップＳ１０２において、分割対象ＳＲＳ無線リソース判定部５１は、フラグＦｌａｇ＿ｒｅｑ＿Ｍｓｒｓに「１」を代入する。そして、ステップＳ１０３において、移動端末４（ｕ）の所要ＳＲＳ帯域幅Ｒｅｑ＿Ｍｓｒｓ＿ＤＬ（ｕ）より広いＳＲＳ帯域幅（Ｍ＿ＳＲＳ）を有するＳＲＳ無線リソースの組合せ（Ｍ＿ＳＲＳ，ｉ＿ＳＲＳ，ｊ＿ＳＲＳ，ｋ＿ｃ）を、ＳＲＳ帯域幅（Ｍ＿ＳＲＳ）を分割する対象として選択し、ステップＳ１０７に進む。
【００７１】
ステップＳ１０４では、分割対象ＳＲＳ無線リソース判定部５１は、ＳＲＳ無線リソースの割当結果において、ＳＲＳ帯域幅（Ｍ＿ＳＲＳ）が最小のＳＲＳ帯域幅候補より広いＳＲＳ無線リソースの組合せ（Ｍ＿ＳＲＳ，ｉ＿ＳＲＳ，ｊ＿ＳＲＳ，ｋ＿ｃ）があるか否かを判定する。ここで、最小のＳＲＳ帯域幅候補（以下、最小ＳＲＳ帯域幅と称する）とは、ＯＦＤＭＡシステムにおいて、ＳＲＳ帯域幅の選択可能な候補のうち最小のＳＲＳ帯域幅であり、例えば、本実施形態において「４ＲＢ」である。
ＳＲＳ無線リソースの割当結果において、ＳＲＳ帯域幅（Ｍ＿ＳＲＳ）が最小ＳＲＳ帯域幅より広いＳＲＳ無線リソースの組合せがある場合、ステップＳ１０５に進む。
一方、ＳＲＳ無線リソースの割当結果において、ＳＲＳ帯域幅（Ｍ＿ＳＲＳ）が最小ＳＲＳ帯域幅より広いＳＲＳ無線リソースの組合せがある場合、図１１のステップＳ２０に進む。
【００７２】
ステップＳ１０５において、分割対象ＳＲＳ無線リソース判定部５１は、フラグＦｌａｇ＿ｒｅｑ＿Ｍｓｒｓに「０」を代入する。そして、ステップＳ１０６において、ＳＲＳ帯域幅（Ｍ＿ＳＲＳ）が最小ＳＲＳ帯域幅より広いＳＲＳ無線リソースの組合せ（Ｍ＿ＳＲＳ，ｉ＿ＳＲＳ，ｊ＿ＳＲＳ，ｋ＿ｃ）を、ＳＲＳ帯域幅（Ｍ＿ＳＲＳ）を分割する対象として選択し、ステップＳ１０７に進む。
【００７３】
ステップＳ１０７において、分割対象ＳＲＳ無線リソース判定部５１は、ＳＲＳ帯域幅（Ｍ＿ＳＲＳ）を分割する対象として選択したＳＲＳ無線リソースの組合せ（Ｍ＿ＳＲＳ，ｉ＿ＳＲＳ，ｊ＿ＳＲＳ，ｋ＿ｃ）が複数であるか否かを判定する。
選択したＳＲＳ無線リソースの組合せが複数である場合、ステップＳ１０８において、分割対象ＳＲＳ無線リソース判定部５１は、選択したＳＲＳ無線リソースの組合せから一つの組合せを選択し、ステップＳ１５１に進む。
一方、選択したＳＲＳ無線リソースの組合せが複数でない場合、選択したＳＲＳ無線リソースの組合せを、ＳＲＳ帯域幅（Ｍ＿ＳＲＳ）を分割対象とし、ステップＳ１５１に進む。
【００７４】
ステップＳ１０８において、分割対象ＳＲＳ無線リソース判定部５１は、以下の（ａ）〜（ｃ）のうち、いずれかの手順により、複数のＳＲＳ無線リソースの組合せ（Ｍ＿ＳＲＳ，ｉ＿ＳＲＳ，ｊ＿ＳＲＳ，ｋ＿ｃ）からいずれか一つのＳＲＳ無線リソースの組合せを選択する。
（ａ）選択されたＳＲＳ無線リソースの組合せ（Ｍ＿ＳＲＳ，ｉ＿ＳＲＳ，ｊ＿ＳＲＳ，ｋ＿ｃ）のうち、最もサイクリック・シフトが小さいＳＲＳ無線リソースの組合せを選択する。
（ｂ）選択されたＳＲＳ無線リソースの組合せ（Ｍ＿ＳＲＳ，ｉ＿ＳＲＳ，ｊ＿ＳＲＳ，ｋ＿ｃ）のうち、最もＳＲＳ帯域幅（Ｍ＿ＳＲＳ）が小さいＳＲＳ無線リソースの組合せを選択する。
（ｃ）選択されたＳＲＳ無線リソースの組合せ（Ｍ＿ＳＲＳ，ｉ＿ＳＲＳ，ｊ＿ＳＲＳ，ｋ＿ｃ）のうち、最もＳＲＳ帯域幅（Ｍ＿ＳＲＳ）が大きいＳＲＳ無線リソースの組合せを選択する。
【００７５】
上記（ａ）の手順により選択を行う場合、ＳＲＳ帯域幅（Ｍ＿ＳＲＳ）を分割する対象のＳＲＳ無線リソースの組合せが割当てられている移動端末４を最小にすることになり、システム帯域内の全ての周波数リソースごとの品質を得るために要する時間が長くなる移動端末４を最小にすることができる。すなわち、ＯＦＤＭＡシステムにおける周波数スケジューリング効果の減少を低減させることができる。また、当該ＳＲＳ無線リソースの組合せが割当てられている移動端末４に対する割当の変更を通知するシグナリング情報の処理の負荷を低減させることができる。
また、上記（ｂ）の手順により選択を行う場合、上記（ａ）と同様に、ＯＦＤＭＡシステムにおける周波数スケジューリング効果の減少を低減させることができる。
また、上記（ｃ）の手順により選択を行う場合、ＳＲＳ帯域幅（Ｍ＿ＳＲＳ）を分割することにより空けられるＳＲＳ無線リソースを多くすることができ、ＳＲＳ帯域幅（Ｍ＿ＳＲＳ）を分割する頻度を抑えることができる。
【００７６】
なお、上記（ａ）〜（ｃ）の手順により選択を行っても、複数のＳＲＳ無線リソースの組合せが残っている場合、トランスミッション・カム（ｋ＿ｃ）、ＳＲＳ送信タイミングオフセット番号（ｉ＿ＳＲＳ）、ＳＲＳ帯域オフセット番号（ｊ＿ＳＲＳ）を用いた選択により、いずれか一つのＳＲＳ無線リソースの組合せを、ＳＲＳ帯域幅（Ｍ＿ＳＲＳ）を分割対象に選択する。このとき、トランスミッション・カム（ｋ＿ｃ）、ＳＲＳ送信タイミングオフセット番号（ｉ＿ＳＲＳ）、ＳＲＳ帯域オフセット番号（ｊ＿ＳＲＳ）の昇順や降順で選択してもよいし、ランダムに選択してもよい。
【００７７】
ステップＳ１５１において、ＳＲＳ無線リソース分割部５２は、フラグＦｌａｇ＿ｒｅｑ＿Ｍｓｒｓの値が「１」であるか否かを判定し、「１」である場合ステップＳ１５２に進み、「１」でない場合ステップＳ１５３に進む。
ステップＳ１５２において、ＳＲＳ無線リソース分割部５２は、分割対象ＳＲＳ無線リソース判定部５１が選択したＳＲＳ無線リソースの組合せに対して割当てられている各移動端末４（ｕ）の所要ＳＲＳ帯域幅Ｒｅｑ＿Ｍｓｒｓ＿ＤＬ（ｕ）のうち、最も広い帯域幅を、ＳＲＳ帯域幅（Ｍ＿ＳＲＳ）を分割した後の帯域幅であるＳＲＳ帯域幅（Ｍ＿ＳＲＳ＿ｓｅｌｅｃｔｅｄ）にする。
一方、ステップＳ１５３では、ＳＲＳ無線リソース分割部５２は、最小ＳＲＳ帯域幅を、ＳＲＳ帯域幅（Ｍ＿ＳＲＳ＿ｓｅｌｅｃｔｅｄ）にする。
【００７８】
ステップＳ１５４において、ＳＲＳ無線リソース分割部５２は、分割対象ＳＲＳ無線リソース判定部５１がステップＳ１０８で選択したＳＲＳ無線リソースの組合せ（Ｍ＿ＳＲＳ，ｉ＿ＳＲＳ，ｊ＿ＳＲＳ，ｋ＿ｃ，ｋ＿ｓ）を割当てられている移動端末４それぞれに対し、新たなＳＲＳ無線リソースの組合せ（Ｍ＿ＳＲＳ＿ｓｅｌｅｃｔｅｄ，ｉ＿ＳＲＳ，ｊ＿ＳＲＳ，ｋ＿ｃ，ｋ＿ｓ）を割当て、当該割当に応じてＳＲＳ送信スケジューリングテーブル２００を更新し、ステップＳ１２に戻る。
すなわち、ＳＲＳ無線リソース分割部５２は、ＳＲＳ送信スケジューリングテーブル２００において、ＳＲＳ帯域幅のみを変更して帯域幅を狭くし、ＳＲＳ無線リソースを示す他の変数（ＳＲＳ送信タイミングオフセット（ｉ＿ＳＲＳ），ＳＲＳ帯域オフセット番号（ｊ＿ＳＲＳ），トランスミッション・カム番号（ｋ＿ｃ），サイクリック・シフト番号（ｋ＿ｓ））を変更しない割当を行う。これにより、ＳＲＳ無線リソース分割部５２は、ＳＲＳ送信スケジューリングテーブル２００において、他の移動端末４を割当てるＳＲＳ帯域幅設定情報Ｗ＿ＳＲＳ（ｉ＿ＳＲＳ，ｋ＿ｃ）の空きをつくることができる。
【００７９】
また、図１１のステップＳ２０に進む場合とは、選択端末に係る使用可能なＳＲＳ帯域幅（Ｍ＿ＳＲＳ）のいずれに対しても、部分テーブルＴＢＬ（ｉ＿ＳＲＳ，ｋ＿ｃ）が割当てられていない状態である。このため、選択端末に係る使用可能な最小のＳＲＳ帯域幅（Ｍ＿ＳＲＳ）用の部分テーブルＴＢＬ（ｉ＿ＳＲＳ，ｋ＿ｃ）を設けるようにする。
【００８０】
ステップＳ２０では、ＳＲＳ無線リソース割当部１５が、選択端末に係る使用可能な最小のＳＲＳ帯域幅（Ｍ＿ＳＲＳ）を選択する。この選択結果のＳＲＳ帯域幅（Ｍ＿ＳＲＳ）のことを以下、選択最小Ｍ＿ＳＲＳと称する。
【００８１】
次いで、ステップＳ２１では、ＳＲＳ無線リソース割当部１５が、ＳＲＳ送信スケジューリングテーブル２００において、未使用部分テーブルＴＢＬ（ｉ＿ＳＲＳ，ｋ＿ｃ）が有るかを探索する。具体的には、ＳＲＳ無線リソース割当部１５は、ＳＲＳ送信スケジューリングテーブル２００において、ＳＲＳ帯域幅設定情報Ｗ＿ＳＲＳ（ｉ＿ＳＲＳ，ｋ＿ｃ）が空である、ＳＲＳ送信タイミングオフセット番号（ｉ＿ＳＲＳ）とトランスミッション・カム番号（ｋ＿ｃ）の組（ｉ＿ＳＲＳ，ｋ＿ｃ）が存在するかを調べる。ＳＲＳ帯域幅設定情報Ｗ＿ＳＲＳ（ｉ＿ＳＲＳ，ｋ＿ｃ）が空である、ＳＲＳ送信タイミングオフセット番号（ｉ＿ＳＲＳ）とトランスミッション・カム番号（ｋ＿ｃ）の組（ｉ＿ＳＲＳ，ｋ＿ｃ）に係る部分テーブルＴＢＬ（ｉ＿ＳＲＳ，ｋ＿ｃ）は、未使用部分テーブルＴＢＬ（ｉ＿ＳＲＳ，ｋ＿ｃ）である。
【００８２】
次いで、ＳＲＳ無線リソース割当部１５が、未使用部分テーブルＴＢＬ（ｉ＿ＳＲＳ，ｋ＿ｃ）が有るかを判断する。この結果、未使用部分テーブルＴＢＬ（ｉ＿ＳＲＳ，ｋ＿ｃ）が有る場合にはステップＳ２３に進む。一方、未使用部分テーブルＴＢＬ（ｉ＿ＳＲＳ，ｋ＿ｃ）がない場合には図８のステップＳ１１に進む。
【００８３】
ステップＳ２３では、ＳＲＳ無線リソース割当部１５が、ＳＲＳ無線リソース（ｋ＿ｃ）の空き残数が最小であり、且つ、ＳＲＳ送信タイミングオフセット番号（ｉ＿ＳＲＳ）が最小である、未使用部分テーブルＴＢＬ（ｉ＿ＳＲＳ，ｋ＿ｃ）において、ＳＲＳ無線リソースの組合せ（ｊ＿ＳＲＳ，ｋ＿ｓ）＝（０，０）を選択する。これにより、できる限り未使用のトランスミッション・カムを残すようにする。未使用のトランスミッション・カムは、ＳＲＳ以外のデータの送信に使用することができる可能性があり、無線リソースの有効利用に寄与することが可能となる。
【００８４】
次いで、ステップＳ２４では、ＳＲＳ無線リソース割当部１５が、ステップＳ２３で選択した未使用部分テーブルＴＢＬ（ｉ＿ＳＲＳ，ｋ＿ｃ）内のＳＲＳ無線リソースの組合せ（ｊ＿ＳＲＳ，ｋ＿ｓ）＝（０，０）の欄に、選択端末の端末番号を割当端末番号２１０として格納する。更に、該未使用部分テーブルＴＢＬ（ｉ＿ＳＲＳ，ｋ＿ｃ）に係るＳＲＳ帯域幅設定情報Ｗ＿ＳＲＳ（ｉ＿ＳＲＳ，ｋ＿ｃ）に対して、選択最小Ｍ＿ＳＲＳを設定する。これにより、該未使用部分テーブルＴＢＬ（ｉ＿ＳＲＳ，ｋ＿ｃ）は選択最小Ｍ＿ＳＲＳ用となり、選択端末に対して、該選択最小Ｍ＿ＳＲＳ用部分テーブルＴＢＬ（ｉ＿ＳＲＳ，ｋ＿ｃ）内のＳＲＳ無線リソースの組合せ（ｊ＿ＳＲＳ，ｋ＿ｓ）＝（０，０）に対応するＳＲＳ無線リソースの組合せ（選択最小Ｍ＿ＳＲＳ、ｉ＿ＳＲＳ、ｊ＿ＳＲＳ＝０、ｋ＿ｓ＝０、ｋ＿ｃ）が割当てられたことになる。この後、図８のステップＳ４に戻る。
【００８５】
上述したように本実施形態によれば、移動端末４に係る使用可能なＳＲＳ帯域幅（Ｍ＿ＳＲＳ）のいずれに対しても、部分テーブルＴＢＬ（ｉ＿ＳＲＳ，ｋ＿ｃ）を割当てることができない場合、ＳＲＳ帯域分割部５が、既に割当てられているＳＲＳ無線リソースの組合せのうち、ＳＲＳ帯域幅を分割（狭く）できるＳＲＳ無線リソースの組合せを選択する。そして、ＳＲＳ帯域分割部５が、当該ＳＲＳ無線リソースの組合せのＳＲＳ帯域幅を分割して、空きの部分テーブルＴＢＬ（ｉ＿ＳＲＳ，ｋ＿ｃ）を設ける。そして、ＳＲＳ送信スケジューリング部２は、ＳＲＳ帯域分割部５が設けた空きの部分テーブルＴＢＬ（ｉ＿ＳＲＳ，ｋ＿ｃ）に対して移動端末４を割当てる。
これにより、ＳＲＳ無線リソースが逼迫している状態においても、新たに接続する移動端末４に対してＳＲＳ無線リソースを適切に割当てることができる。その結果、新たに接続する移動端末４と、基地局装置１との間の周波数特性をＳＲＳにより測定し、当該周波数特性に応じた周波数スケジューリングを行うことができ、移動端末４のスループットの向上や、ＯＦＤＭＡシステムの容量を向上させることができる。
【００８６】
なお、上述した実施形態において、ステップＳ１０１でＳＲＳ帯域幅（Ｍ＿ＳＲＳ）を分割（狭く）する対象のＳＲＳ無線リソースの組合せがない場合、ステップＳ１０４で、最小ＳＲＳ帯域幅より広いＳＲＳ帯域幅（Ｍ＿ＳＲＳ）を有するＳＲＳ無線リソースの組合せを、ＳＲＳ帯域幅（Ｍ＿ＳＲＳ）を狭くするＳＲＳ無線リソースの組合せに選択する構成を説明したが、これに限ることなく、ステップＳ１０１でＳＲＳ帯域幅（Ｍ＿ＳＲＳ）を分割（狭く）する対象のＳＲＳ無線リソースの組合せがない場合、図１１のステップＳ２０に手順を進めるようにしてもよい。これにより、各移動端末４には、ＳＲＳ帯域幅最小値判定部１２が判定したＳＲＳ帯域幅の最小値以上の帯域幅を割当てることができ、一定の品質以上の周波数スケジューリングを行うことができる。
【００８７】
また、上述した実施形態のステップＳ１５２において、各移動端末４（ｕ）の所要ＳＲＳ帯域幅Ｒｅｑ＿Ｍｓｒｓ＿ＤＬ（ｕ）のうち、最も広い帯域幅を、ＳＲＳ帯域幅（Ｍ＿ＳＲＳ）を分割した後の帯域幅であるＳＲＳ帯域幅（Ｍ＿ＳＲＳ＿ｓｅｌｅｃｔｅｄ）にする構成を説明したが、これに限ることなく、分割対象ＳＲＳ無線リソース判定部５１が選択したＳＲＳ無線リソースの組合せのＳＲＳ帯域幅を狭くし、他の移動端末４に割当てられるＳＲＳ無線リソースを設けられれば、Ｍａｘｕ｛ＳＲＳ帯域幅Ｒｅｑ＿Ｍｓｒｓ＿ＤＬ（ｕ）｝より広い帯域幅を分割後の帯域幅にしてもよい。すなわち、Ｍａｘｕ｛ＳＲＳ帯域幅Ｒｅｑ＿Ｍｓｒｓ＿ＤＬ（ｕ）｝を下限として、選択したＳＲＳ無線リソースを分割（狭く）するようにしてもよい。
【００８８】
上述の基地局装置１は内部に、コンピュータシステムを有していてもよい。その場合、上述した図８〜１１のフローチャートに示した各処理の過程は、プログラムの形式でコンピュータ読み取り可能な記録媒体に記憶されており、このプログラムをコンピュータが読み出して実行することによって、上記処理が行われることになる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００８９】
１…基地局装置、２…ＳＲＳ送信スケジューリング部、３…ＳＲＳ無線リソース通知部、４…移動端末、５…ＳＲＳ帯域分割部、１１…入力情報取得部、１２…ＳＲＳ帯域幅最小値判定部、１３…ＳＲＳ帯域幅最大値判定部、１４…使用可能ＳＲＳ帯域幅判定部、１５…ＳＲＳ無線リソース割当部、５１…分割対象ＳＲＳ無線リソース判定部、５２…ＳＲＳ無線リソース分割部、１００…許容移動速度判定テーブル、２００…ＳＲＳ送信スケジューリングテーブル
【図１】
0005302940.tif 000002
【図２】
0005302940.tif 000003
【図３】
0005302940.tif 000004
【図４】
0005302940.tif 000005
【図５】
0005302940.tif 000006
【図６】
0005302940.tif 000007
【図７】
0005302940.tif 000008
【図８】
0005302940.tif 000009
【図９】
0005302940.tif 000010
【図１０】
0005302940.tif 000011
【図１１】
0005302940.tif 000012